(57)【要約】【課題】機台上に、オイルタンク及びバッテリを効率良く配置する。また、大容量のオイルタンクを搭載可能にすると共に、バッテリのメンテナンス性を向上させる。【解決手段】茎稈を刈り取る前処理部２を機台１５の前端部に連結すると共に、該機台１５上に、刈り取った茎稈を脱穀処理する脱穀部３を搭載した連結したコンバイン１であって、前記機台１５上に、油圧機器の作動オイルを貯溜するオイルタンク３７と、電気機器に電源供給を行うバッテリ３８とを搭載するにあたり、脱穀部３の前方に、所定間隔を存してオイルタンク３７を配置すると共に、該オイルタンク３７と脱穀部３の前面との間に、バッテリ３８を配置する。【選択図】　　　　図３
2004141041.tif 000002
【特許請求の範囲】
【請求項１】
茎稈を刈り取る前処理部を機台の前端部に連結すると共に、該機台上に、刈り取った茎稈を脱穀処理する脱穀部を搭載した連結したコンバインにおいて、前記機台上に、油圧機器の作動オイルを貯溜するオイルタンクと、電気機器に電源供給を行うバッテリとを搭載するにあたり、前記脱穀部の前方に、所定間隔を存して前記オイルタンクを配置すると共に、該オイルタンクと脱穀部前面との間に、前記バッテリを配置したことを特徴とするコンバイン。
【請求項２】
請求項１において、前記機台の前端部に、前処理部を支持する正面視冂字状の前処理支持フレームを立設し、該前処理支持フレームに入り込むように前記オイルタンクを配置すると共に、前記バッテリを、側面視で前処理支持フレームの後方に位置させたことを特徴とするコンバイン。
【請求項３】
請求項１又は２において、前記前処理部を駆動させる前処理用無段変速装置を備えると共に、前記オイルタンクと脱穀部前面との間に、前記バッテリ及び前処理用無段変速装置を左右に並ぶように配置したことを特徴とするコンバイン。
【発明の詳細な説明】
【０００１】
【発明の属する技術分野】
本発明は、機台上にオイルタンク及びバッテリを搭載したコンバインの技術分野に属するものである。
【０００２】
【従来の技術】
一般に、コンバインは、脱穀部が搭載される機台の前端部に前処理部を連結し、該前処理部が刈り取った茎稈を脱穀部で脱穀処理するように構成されている。
この種のコンバインでは、機台上に、油圧機器の作動オイルを貯溜するオイルタンクや、電気機器に電源供給を行うバッテリが搭載されるが、これらの配置が適切でない場合は、機台の大型化を招く許りでなく、オイルタンクの容量が制限されたり、バッテリのメンテナンス性が低下するなどの不都合が生じる。
そこで、機台の脱穀部前方空間を利用し、オイルタンクやバッテリを配置することが提案されている（例えば、特許文献１、２参照。）。
【０００３】
【特許文献１】
実公平５−２０５４号公報（第１図）
【特許文献２】
実開平４−３５７２９号公報（第４図）
【０００４】
【発明が解決しようとする課題】
しかしながら、上記特許文献１、２に示されるものは、機台の脱穀部前方空間に、オイルタンク又はバッテリの何れか一方を配置しているため、バッテリの配置スペースや、オイルタンクの配置スペースを別途確保しなければならない。そのため、機台上における配置効率を十分に向上させることが難しい許りでなく、依然としてオイルタンクの容量が制限されたり、バッテリのメンテナンス性が低下する可能性がある。
【０００５】
【課題を解決するための手段】
本発明は、上記の如き実情に鑑みこれらの課題を解決することを目的として創作されたものであって、茎稈を刈り取る前処理部を機台の前端部に連結すると共に、該機台上に、刈り取った茎稈を脱穀処理する脱穀部を搭載した連結したコンバインにおいて、前記機台上に、油圧機器の作動オイルを貯溜するオイルタンクと、電気機器に電源供給を行うバッテリとを搭載するにあたり、前記脱穀部の前方に、所定間隔を存して前記オイルタンクを配置すると共に、該オイルタンクと脱穀部前面との間に、前記バッテリを配置したことを特徴とする。つまり、機台上の脱穀部前方空間に、オイルタンク及びバッテリを配置することにより、機台上の配置効率を向上させることができるだけでなく、オイルタンクの容量を十分に確保することが可能になり、しかも、オイルタンクの後方にバッテリを配置したので、前処理部に邪魔されることなく、バッテリのメンテナンスを行うことができる。
また、前記機台の前端部に、前処理部を支持する正面視冂字状の前処理支持フレームを立設し、該前処理支持フレームに入り込むように前記オイルタンクを配置すると共に、前記バッテリを、側面視で前処理支持フレームの後方に位置させたことを特徴とする。この場合においては、オイルタンクを前処理支持フレームに入り込ませることによって、機体長を短くすることが可能になり、しかも、バッテリを、側面視で前処理支持フレームの後方に位置させたため、前処理支持フレームに邪魔されることなく、バッテリのメンテナンスを行うことが可能になる。
また、前記前処理部を駆動させる前処理用無段変速装置を備えると共に、前記オイルタンクと脱穀部前面との間に、前記バッテリ及び前処理用無段変速装置を左右に並ぶように配置したことを特徴とする。この場合においては、機台上の脱穀部前方空間に、オイルタンク、バッテリ及び前処理用無段変速装置を効率良く配置することができる。また、バッテリを機体外側に配置すれば、前処理用無段変速装置に邪魔されることなく、バッテリのメンテナンスを行うことが可能になる。
【０００６】
【発明の実施の形態】
次に、本発明の実施の形態の一つを図面に基づいて説明する。図面において、１はコンバインであって、該コンバイン１は、茎稈を刈り取る前処理部２と、刈り取った茎稈から穀粒を脱穀し、この穀粒を選別する脱穀部３と、選別済みの穀粒を貯溜する穀粒タンク４と、脱穀済みの排稈を処理する後処理部５と、各種の操作具が配置される操作部６と、クローラ式の走行部７とを備えて構成される。
【０００７】
前処理部２は、未刈茎稈を分草するデバイダ８と、分草された茎稈を引き起す引起し装置９と、茎稈の株元位置を切断する刈刃装置（図示せず）と、刈り取った茎稈を脱穀部３に向けて搬送する前処理搬送装置１０とを備えて構成され、コンバイン１の前部に昇降自在に連結される。
【０００８】
脱穀部３は、扱胴１１を内装する扱室１２と、脱穀された穀粒を選別する選別室１３と、扱室１２に沿って茎稈を搬送する脱穀フィードチェン１４と、脱穀済みの排稈を後処理部５まで搬送する排稈搬送装置（図示せず）とを備えて予めユニット状に構成され、機体組立工程において機台（機体フレーム）１５上の左側オフセット位置に搭載される。脱穀フィードチェン１４は、複数の従動スプロケット１６および単一の駆動スプロケット１７に対して懸回されており、駆動スプロケット１７の回転に応じて搬送動作される。
【０００９】
操作部６の下方には、脱穀部３、穀粒タンク４、走行部７などに動力を供給するエンジン１８が搭載される。穀粒タンク４は、ベルト伝動機構１９を介して入力したエンジン動力でタンク内の螺旋搬送体（図示せず）を駆動し、穀粒の排出を行う。走行部７は、ベルト伝動機構２０を介して入力したエンジン動力を、走行用無段変速装置（ＨＳＴ）２１及びトランスミッション２２で変速し、この変速動力で駆動輪２３の駆動を行う。脱穀部３は、作業機クラッチ２４を構成するベルト伝動機構２５を介して、エンジン動力を入力する。エンジン動力を入力する唐箕軸２６は、その右端部から扱胴１１にエンジン動力を伝動すると共に、左端部から選別室１３にエンジン動力を伝動している。
【００１０】
また、エンジン動力は、前処理部２及び脱穀フィードチェン１４を駆動させる前処理ギヤケース２７にも伝動される。前処理ギヤケース２７は、ベルト伝動機構２５から取り出したエンジン動力を、車速に応じて無段変速する前処理用無段変速装置（ＨＳＴ）２８と、該前処理用無段変速装置２８の出力を前処理部２及び脱穀フィードチェン１４に分配するギヤ機構２９とを備えて構成される。これにより、前処理部２および脱穀フィードチェン１４の茎稈搬送速度が同期され、引継ぎ部における搬送乱れが防止される。
【００１１】
前処理ギヤケース２７の右側面部には、前処理出力軸３０が突設される一方、左側面部には、フィードチェン出力軸３１が突設される。前処理出力軸３０には、前処理出力プーリ３２が一体的に設けられており、該前処理出力プーリ３２に懸回される伝動ベルト３３を介して前処理入力プーリ３４に前処理動力が伝動されると共に、その動力伝動が前処理クラッチ（テンションプーリ）３５によって断続される。また、フィードチェン出力軸３１には、フィードチェン駆動軸３６が一体的に連結されており、該フィードチェン駆動軸３６を介して脱穀フィードチェン１４の駆動スプロケット１７にフィードチェン動力が伝動される。フィードチェン駆動軸３６は、左右方向を向く直線状の軸部材であり、脱穀部３の前側を通るように配置される。これにより、フィードチェン出力軸３１と駆動スプロケット１７との連結が容易になり、組立性の向上が図られる。
【００１２】
機台１５上には、上記各部材の他に、油圧機器（ＨＳＴなど）の作動オイルを貯溜するオイルタンク３７や、電気機器（スタータモータなど）に電源供給を行うバッテリ３８が搭載されており、本発明は、オイルタンク３７及びバッテリ３８の配置構成に特徴がある。以下、機台１５の構成と、オイルタンク３７及びバッテリ３８の配置について、詳細に説明する。
【００１３】
機台１５は、平面視長方形に枠組みされた枠フレームを構成しており、その前端部左側には、前処理部２を支持する正面視冂字状の前処理支持フレーム３９が立設されている。前処理支持フレーム３９は、左右一対の支柱フレーム４０と、その上端部同士を連結する梁フレーム４１と、支柱フレーム４０の倒れを防ぐ左右一対の補強フレーム４２とを備えて構成される。
【００１４】
前処理部２の後部には、左右方向を向く横伝動筒４３が設けられ、その右端部に、前述の前処理入力プーリ３４を備える。前処理入力プーリ３４に入力された動力は、横伝動筒４３及び縦伝動筒４４の内部に構成される動力伝動経路を介して前処理部２の各部に伝動される。横伝動筒４３の左右両端部は、前処理支持フレーム３９の上端部に設けられる左右一対の支持部材４５、４６によって回動自在に支持されている。これにより、前処理部２に動力伝動を行いつつ、横伝動筒４３を回動支点とする前処理部２の昇降動作が許容される。尚、機台１５と縦伝動筒４４との間には、図示しないリフトシリンダが介設されており、このリフトシリンダを油圧伸縮動作させることによって、前処理部２の強制的な昇降動作が行われる。
【００１５】
オイルタンク３７は、正面視幅広で、かつ側面視幅狭な直方体に形成され、その前面部には、供給配管４７及び戻り配管４８が接続される一方、後面部の上側には、給油口４９が突設されている。このオイルタンク３７を機台１５上に搭載するにあたり、本発明では、脱穀部３の前方に所定間隔を存してオイルタンク３７を配置している。これにより、脱穀部３に邪魔されることなく、大容量のオイルタンク３７を機台１５上に搭載することが可能になる。また、オイルタンク３７は、前処理支持フレーム３９の内側空間に入り込むように配置される。そのため、オイルタンク３７を前処理支持フレーム３９の前後に並ぶように配置する場合に比べ、機台１５の前後長さを可及的に縮小し、コンバイン１の機体長を短くすることが可能になる。
【００１６】
バッテリ３８は、オイルタンク３７と脱穀部３との間に配置される。これにより、オイルタンク３７を脱穀部３の前方に所定間隔を存して配置するものでありながら、オイルタンク３７と脱穀部３との間の空間を利用してバッテリ３８を配置することにより、オイルタンク３７及びバッテリ３８を機台１５上に効率良く配置することが可能になる。しかも、バッテリ３８は、オイルタンク３７と脱穀部３との間の空間において左側にオフセットされると共に、側面視で前処理支持フレーム３９の後方に位置するように配置される。そのため、前処理部２や前処理支持フレーム３９に邪魔されることなく、機体左側部からバッテリ３８のメンテナンスを行うことが可能になる。また、本実施形態では、フィードチェン出力軸３１の下方空間にバッテリ３８を配置しているので、機台１５上における配置効率を更に向上させることが可能になる。
【００１７】
また、オイルタンク３７と脱穀部３との間の空間には、前述した前処理用無段変速装置２８（前処理ギヤケース２７）も配置されている。前処理用無段変速装置２８は、オイルタンク３７と脱穀部３との間の空間ににおいて右側にオフセットされ、バッテリ３８と左右に並ぶように配置される。これにより、オイルタンク３７を脱穀部３の前方に所定間隔を存して配置するものでありながら、オイルタンク３７と脱穀部３との間の空間を利用してバッテリ３８及び前処理用無段変速装置２８を配置することにより、オイルタンク３７、バッテリ３８及び前処理用無段変速装置２８を機台１５上に効率良く配置することが可能になる。しかも、上記のように前処理用無段変速装置２８を右側にオフセット配置することにより、前処理用無段変速装置２８がエンジン１８に近づくので、前処理用無段変速装置２８に対するエンジン動力の供給が容易になり、また、前処理用無段変速装置２８から前処理部２への動力伝動も簡単に行うことが可能になる。
【００１８】
叙述の如く構成されたものにおいて、茎稈を刈り取る前処理部２を機台１５の前端部に連結すると共に、該機台１５上に、刈り取った茎稈を脱穀処理する脱穀部３を搭載した連結したコンバイン１であって、前記機台１５上に、油圧機器の作動オイルを貯溜するオイルタンク３７と、電気機器に電源供給を行うバッテリ３８とを搭載するにあたり、脱穀部３の前方に、所定間隔を存してオイルタンク３７を配置すると共に、該オイルタンク３７と脱穀部３の前面との間に、バッテリ３８を配置したので、機台１５上の配置効率を向上させることができるだけでなく、オイルタンク３７の容量を十分に確保することが可能になる。しかも、オイルタンク３７の後方にバッテリ３８を配置したので、前処理部２に邪魔されることなく、バッテリ３８のメンテナンスを行うことができる。
【００１９】
また、前記機台１５の前端部に、前処理部２を支持する正面視冂字状の前処理支持フレーム３９を立設し、該前処理支持フレーム３９に入り込むようにオイルタンク３７を配置したので、機体長を短くすることが可能になり、しかも、バッテリ３８を、側面視で前処理支持フレーム３９の後方に位置させたため、前処理支持フレーム３９に邪魔されることなく、バッテリ３８のメンテナンスを行うことが可能になる。
【００２０】
また、前処理部２を駆動させる前処理用無段変速装置２８（前処理ギヤケース２７）を備えると共に、オイルタンク３７と脱穀部３の前面との間に、バッテリ３８及び前処理用無段変速装置２８を左右に並ぶように配置したので、機台１５上における脱穀部３の前方空間に、オイルタンク３７、バッテリ３８及び前処理用無段変速装置２８を効率良く配置することができる。また、バッテリ３８及び前処理用無段変速装置２８を左右に並設するにあたり、バッテリ３８を機体外側に配置したため、前処理用無段変速装置２８に邪魔されることなく、バッテリ３８のメンテナンスを行うことができるだけでなく、前処理用無段変速装置２８をエンジン１８に近づけ、該エンジン１８から前処理用無段変速装置２８への動力伝動を容易にすることができる。
【図面の簡単な説明】
【図１】コンバインの一部切欠き左側面図である。
【図２】コンバインの一部切欠き平面図である。
【図３】機台の前端部を示す斜視図である。
【図４】コンバインの伝動構造を示す伝動回路図である。
【符号の説明】
１　　コンバイン
２　　前処理部
３　　脱穀部
１４　脱穀フィードチェン
１５　機台
２７　前処理ギヤケース
２８　前処理用無段変速装置
３６　フィードチェン駆動軸
３７　オイルタンク
３８　バッテリ
３９　前処理支持フレーム
【図１】
2004141041.tif 000003
【図２】
2004141041.tif 000004
【図３】
2004141041.tif 000005
【図４】
2004141041.tif 000006